(57)【要約】【課題】雨水が建物側にずれることを防止できる庇金物及び建物を提供する。【解決手段】庇金物１では、板材１０の先端縁部１１の外面１１ａの少なくとも下端Ｐは、最外部Ｍ０を構成する。従って、庇金物１のうち、建物１００から最も遠い位置で雨水を滴下することができる。これにより、下階の庇金物１に落ちることを防止できる。板材１０の先端縁部１１の外面１１ａと内面１１ｂとの間の板厚Ｔ内において、端面１１ｃは、建物１００側へ向かって上方へ傾斜する。従って、雨水が端面１１ｃへまわり込むことを確実に防止することができる。以上のような構成によって、外面１１ａを伝って来た雨水は、端面１１ｃ側へまわり込むことなく、庇金物１のうち、建物１００から最も遠い位置である最外部Ｍ０から滴下する。【選択図】図２
2013036253.tif 000002
【特許請求の範囲】
【請求項１】
建物の壁面に取り付けられる庇金物であって、
先端部が下方向へ向かって延びる板材からなり、
前記板材の先端縁部は外面と、内面と、端面とを有し、
前記外面の少なくとも下端は、前記建物に対して最も外側に配置される最外部を構成し、
前記外面と前記内面との間の板厚内において、前記端面は、建物側へ向かって上方へ傾斜することを特徴とする庇金物。
【請求項２】
前記板材の前記先端縁部の前記外面は、建物側へ向かって上方へ傾斜することを特徴とする請求項１記載の庇金物。
【請求項３】
請求項１又は請求項２に記載された庇金物を備えたことを特徴とする建物。
【発明の詳細な説明】
【技術分野】
【０００１】
本発明は、庇金物及び建物に関する。
【背景技術】
【０００２】
従来から、建物の窓上には、窓を解放した際に雨が吹き込むことを抑制するために庇を設けることがある。例えば特許文献１に示す庇は、窓上の外壁から外側へ延びている。この庇は上面が外側へ向かって下がるように傾斜し、下面は水平に延び、外側の端面は垂直となっている。
【先行技術文献】
【特許文献】
【０００３】
【特許文献１】特開２００７−１１３２８７号公報
【発明の概要】
【発明が解決しようとする課題】
【０００４】
庇金物の上に降り落ちた雨水は先端部から下方に適下するが、庇金物の先端部の形状によっては、雨水が内側（建物側）にまわり込んで適下することがある。特許文献１に示す庇構造では、上面に沿って外方へ雨水が流れ、端面を伝って下方へ落ちるが、端面と下面との間の角部で下面にまわり込んでしまい、広い下面を伝って内側（建物側）へ移動してしまう。例えば、複数の階層を有する建物で、同じ出寸法の庇金物が上下階において平面的に重なる位置に設置されている場合に、上階の庇金物の先端から適下した雨水が上記のように建物側にずれてしまうと、下階の庇金物の上に落ちてしまい、不快な雨垂れ音を発生させてしまう、という問題がある。
【０００５】
本発明は、このような課題を解決するためになされたものであり、雨水が建物側にずれることを防止できる庇金物及び建物を提供することを目的とする。
【課題を解決するための手段】
【０００６】
本発明に係る庇金物は、建物の壁面に取り付けられる庇金物であって、先端部が下方向へ向かって延びる板材からなり、板材の先端縁部は外面と、内面と、端面とを有し、外面の少なくとも下端は、建物に対して最も外側に配置される最外部を構成し、外面と内面との間の板厚内において、端面は、建物側へ向かって上方へ傾斜することを特徴とする。
【０００７】
本発明に係る庇金物によれば、先端部が下方向へ向かって延びる板材である。すなわち、先端部の板材よりも建物側は、空間となっている。すなわち、特許文献１のような構造のように庇の下側に広い下面を有することで、雨水が当該下面を伝って内側（建物側）へ移動することを防止できる。ここで、例えば、図４（ｂ）のように庇金物の最外部よりも先端縁部が建物側に位置する場合、滴下した雨水が下階の庇金物に落ちてしまう。本発明に係る庇金物では、板材の先端縁部の外面の少なくとも下端は、最外部を構成する。従って、庇金物のうち、建物から最も遠い位置で雨水を滴下することができる。また、例えば、先端縁部の端面が水平である場合や、建物側に向かって下方へ傾斜する場合、先端縁部の外面の最下点まで達した雨水が、端面で引っ張られることによって、端面側へまわり込んでしまう。しかしながら、本発明に係る庇金物では、板材の先端縁部の外面と内面との間の板厚内において、先端縁部の端面は、建物側へ向かって上方へ傾斜する。従って、雨水が端面へまわり込むことを確実に防止することができる。以上によって、本発明によれば、雨水が建物側にずれることを防止でき、下階に庇が設置されている場合の不快な雨垂れ音の発生を抑制することができる。
【０００８】
また、本発明において、板材の先端縁部の外面は、建物側へ向かって上方へ傾斜することが好ましい。従って、建物から離れる方向へ、雨水を斜め下方に向かって滴下させることができる。これにより、雨水の回り込みや、建物方向に吹く風によって適下位置が建物側にずれたとしても、先端縁部や当該先端縁部よりも内側に適下することを抑制でき、下階に庇が設置されている場合の不快な雨垂れ音の発生を抑制することができる。
【０００９】
また、本発明に係る建物は上述の庇金物を備えている。これによって、上述の庇金物と同様な効果を得ることができる。
【発明の効果】
【００１０】
本発明によれば、雨水が建物側にずれることを防止できる。
【図面の簡単な説明】
【００１１】
【図１】本発明の実施形態に係る庇金物及び建物を示す断面図である。
【図２】図１に示す庇金物の先端部の拡大図、及びその変形例を示す拡大図である。
【図３】変形例に係る庇金物を示す拡大図である。
【図４】比較例に係る庇金物を示す拡大図である。
【発明を実施するための形態】
【００１２】
以下、図面を参照しつつ、本発明に係る庇金物及び建物の実施形態について詳細に説明する。なお、図面の説明において同一の要素には同一の符号を付し、重複する説明を省略する。
【００１３】
図１は、本発明の実施形態に係る庇金物及び建物を示す断面図である。庇金物１は、建物１００の壁面のうち、窓ＷＤの上に設けられ、窓ＷＤを解放した際に雨が吹き込むことを抑制する機能を有している。図１に示すように、庇金物１は、建物１００の外壁ＯＷの壁面のうち、窓ＷＤの上側に取り付けられる。外壁ＯＷは、窓枠１０１を有しており、庇金物１は、上部の窓枠１０１の外面１０１ａに固定されている。庇金物１は、外壁ラインより外側へ向かって延びている。この庇金物１は、窓ＷＤを外側から見た場合に、窓ＷＤを幅方向の全領域に渡って覆うように延びており、延在方向における一方の側端部は窓ＷＤの幅方向の一方の側端部より側方まで延び、他方の側端部は窓ＷＤの幅方向の他方の側端部より側方まで延びている。庇金物１の材料としては、例えばアルミ、ステンレス、合成樹脂などが適用され、アルミの場合は押出加工やプレス加工、ステンレスの場合はプレス加工、合成樹脂の場合は押出加工や射出加工によって形成される。
【００１４】
庇金物１は、上壁部２と、先端部３と、下壁部４とを有している。上壁部２は建物１００側の端部から外側へ向かって緩やかに傾斜しており、雨水を先端部３側へ移動させることが可能な構造となっている。先端部３は上壁部２の外側の端部と連続しており、Ｒを形成するように湾曲しながら下方向へ向かって延びている。上壁部２と先端部３とは、一枚の板材を構成しており、上壁部２の上面２ａと先端部３の外面３ａとは、連続した面を構成している。従って、上面２ａの雨水は、滑らかに先端部３の外面３ａへ移動し、当該先端部３の湾曲に沿って下方向へ落ちる。下壁部４は、庇金物１の下部で水平方向に延びている。下壁部４の先端側の端部と先端部３とは接続されておらず、分断されている。すなわち、先端部３から滴下する雨水は、下壁部４へまわり込むことで下面４ａを伝って建物側へ移動することが防止されている。
【００１５】
次に、図２（ａ）を参照して、先端部３の構成をより詳細に説明する。
【００１６】
先端部３は、湾曲しながら下方向へ向かって延びる板材１０からなる。板材１０は、先端縁部１１と、Ｒを形成するように大きく湾曲する湾曲部１２と、を備えている。板材１０の先端縁部１１は、外面１１ａと、内面１１ｂと、端面１１ｃを有している。板材１０の内側、すなわち内面１１ｂよりも建物１００側の領域には空間ＳＰが形成されている。
【００１７】
本実施形態では、先端縁部１１は、湾曲部１２の先端側の端部から垂直に下方へ延びている。従って、外面１１ａ及び内面１１ｂは、水平方向に延びる水平ラインＬ１に対して垂直をなしている（θ２＝９０°）。また、外面１１ａの少なくとも下端（すなわち雨水の滴下ポイント）Ｐは、庇金物１のうち、建物１００に対して最も外側に配置される最外部Ｍ０を構成している。本実施形態では、外面１１ａは垂直なので、下端Ｐのみならず外面１１ａ全体が最外部Ｍ０を構成している。なお、外面１１ａと端面１１ｃとの間には面取りやＲが形成される場合があるが、その場合は、外面１１ａと端面１１ｃとを仮想的に延長したときの交点を下端Ｐとしてよい。このような面取りやＲは、図４（ａ）のように雨水を引っ張るような湾曲とは異なり、下端Ｐへ到達した雨水を端面１１ｃ側へ案内しないように極めて小さく設定されている。具体的には、Ｒ＝０〜1ｍｍに設定することで、雨水の回りこみに影響を与えない大きさとすることができる。
【００１８】
板材１０の板厚Ｔは、外面１１ａと内面１１ｂとの間の寸法で設定される。端面１１ｃは、当該板厚Ｔ内に形成される。なお、本実施形態では、先端縁部１１の補強のために端面１１ｃと内面１１ｂとの間の角部に肉盛部１３が形成されている。端面１１ｃは、当該板厚Ｔ内において、建物１００側へ向かって上方へ傾斜している。具体的には、端面１１ｃと水平ラインＬ１との間の角度θ１が、上方へ０°より大きくなっている。角度θ１は、１０°以上とすることによって一層効果的にまわり込みを防止できる。なお、端面１１ｃは、完全な平面であってもよく、上方へ傾斜しているものであれば（図４（ａ）のように雨水を導く程の大きさとならない範囲で）曲面となっていてもよい。例えば、下方に凸となるような曲面でもよく上方に凸となるような曲面でもよい。
【００１９】
次に、本実施形態に係る庇金物１及び建物１００の作用・効果について説明する。
【００２０】
本実施形態に係る庇金物１によれば、先端部３が下方向へ向かって延びる板材１０である。すなわち、先端部３の板材１０よりも建物１００側は、空間ＳＰとなっている。すなわち、特許文献１のような構造のように庇の下側に広い下面を有することで、雨水が当該下面を伝って内側（建物側）へ移動することを防止できる。
【００２１】
ここで、例えば、図４（ｂ）のように、先端縁部６１全体が内側にまわり込むような構成とした場合、庇金物の最外部Ｍ０よりも先端縁部６１が建物１００側に位置する。すなわち、外面６１ａの下端Ｐは、最外部Ｍ０よりも建物１００側に配置される。この場合、滴下した雨水が下階の庇金物に落ちてしまう。一方、本実施形態に係る庇金物１では、板材１０の先端縁部１１の外面１１ａの少なくとも下端Ｐは、最外部Ｍ０を構成する。従って、庇金物１のうち、建物１００から最も遠い位置で雨水を滴下することができる。これにより、下階の庇金物１に落ちることを防止できる。
【００２２】
また、例えば、先端縁部の端面が水平である場合や、建物側に向かって下方へ傾斜する場合、先端縁部の外面の最下点まで達した雨水が、端面で引っ張られることによって、端面側へまわり込んでしまう。例えば図４（ａ）のように、先端全体を丸くしたような大きな肉盛部５３が形成される場合、端面５１ｃは、大きく湾曲し、板厚Ｔ内において下方へ傾斜するような構成となる。このような構成では、外面５１ａを流れて来た雨水は、端面１１ｃを伝って建物１００側へ移動して滴下する。しかしながら、本実施形態に係る庇金物１では、板材１０の先端縁部１１の外面１１ａと内面１１ｂとの間の板厚Ｔ内において、端面１１ｃは、建物１００側へ向かって上方へ傾斜する。従って、雨水が端面１１ｃへまわり込むことを確実に防止することができる。以上のような構成によって、外面１１ａを伝って来た雨水は、端面１１ｃ側へまわり込むことなく、庇金物１のうち、建物１００から最も遠い位置である最外部Ｍ０から滴下する。以上により、雨水が建物１００側にずれることを防止でき、下階に庇金物が設置されている場合の不快な雨垂れ音の発生を抑制することができる。
【００２３】
本発明は上述の実施形態に限定されない。
【００２４】
例えば、図２（ｂ）のような構成を採用してもよい。図２（ｂ）では、先端縁部２１は、湾曲部２２の先端側の端部から斜め下方へ延びている。従って、外面２１ａ及び内面２１ｂは、水平方向に延びる水平ラインＬ１に対して鋭角をなしている（θ２＜９０°）。すなわち、外面２１ａは、建物１００側へ向かって上方へ傾斜している。外面２１ａは、上端から下端Ｐへ向かって順次建物１００から遠ざかる構成となる。また、外面２１ａの下端（すなわち雨水の滴下ポイント）Ｐは、庇金物１のうち、建物１００に対して最も外側に配置される最外部Ｍ０を構成している。本実施形態では、外面１１ａは傾斜しているので、外面１１ａのうち、下端Ｐのみ最外部Ｍ０を構成している。
【００２５】
板材２０の板厚Ｔは、外面２１ａと内面２１ｂとの間の寸法で設定される。端面２１ｃは、当該板厚Ｔ内に形成される。端面２１ｃは、当該板厚Ｔ内において、建物１００側へ向かって上方へ傾斜している。具体的には、端面２１ｃと水平ラインＬ１との間の角度θ１が、上方へ０°より大きくなっている。なお、端面２１ｃは、完全な平面であってもよく、上方へ傾斜しているものであれば（図４（ａ）のように雨水を導く程の大きさとならない範囲で）曲面となっていてもよい。例えば、下方に凸となるような曲面でもよく上方に凸となるような曲面でもよい。
【００２６】
また、本発明において、板材２０の先端縁部２１の外面２１ａは、建物１００側へ向かって上方へ傾斜している。従って、建物１００から遠ざかるように、雨水を斜め下方に向かって滴下させることができる。これにより、雨水の回り込みや、建物方向に吹く風によって適下位置が建物１００側にずれたとしても、先端縁部２１や当該先端縁部２１よりも内側に適下することを抑制でき、下階に庇が設置されている場合の不快な雨垂れ音の発生を抑制することができる。
【００２７】
なお、図２（ａ），（ｂ）では、先端縁部１１，２１は真直ぐに延び、外面１１ａ，２１ａ及び内面１１ｂ，２１ｂは一部が平面となっていたが、本発明の条件を満たす範囲で湾曲させて曲面としてもよい。
【００２８】
また、湾曲していた図２（ａ）の先端部３を、図３（ａ）に示すように屈曲させた平板３０で構成してもよい。図３（ａ）では、先端部３は、平板状の傾斜部３２と平板状の先端縁部３１とを有している。先端縁部３１は垂直に下方へ延びており、外面３１ａ及び内面３１ｂは垂直に延びる。下端Ｐを含む外面３１ａの全体が最外部Ｍ０となる。板厚Ｔ内において、端面３１ｃは建物１００側に向かって上方に傾斜している。
【００２９】
また、湾曲していた図２（ｂ）の先端部３を、図３（ｂ）に示すように屈曲させた平板４０で構成してもよい。図３（ｂ）では、先端部３は、平板状の傾斜部４２と平板状の先端縁部４１とを有している。先端縁部４１は外側へ向かって下方へ傾斜するように延びており、外面４１ａ及び内面４１ｂは建物１００側へ向かって上方へ傾斜するように延びる。外面４１ａの下端Ｐが最外部Ｍ０となる。板厚Ｔ内において、端面４１ｃは建物１００側に向かって上方に傾斜している。
【００３０】
また、上述の実施形態は一例に過ぎず、本発明の条件を満たしている限り、あらゆる形状を採用することができる。寸法関係や湾曲の大きさ、角度なども適宜変更可能である。例えば、先端部全体を階段状に段々にしてもよい。
【符号の説明】
【００３１】
１…庇金物、３…先端部、１０，２０，３０，４０…板材、１１，２１，３１，４１…先端縁部、１１ａ，２１ａ，３１ａ，４１ａ…外面、１１ｂ，２１ｂ，３１ｂ，４１ｂ…内面、１１ｃ，２１ｃ，３１ｃ，４１ｃ…端面、１００…建物。
【図１】
2013036253.tif 000003
【図２】
2013036253.tif 000004
【図３】
2013036253.tif 000005
【図４】
2013036253.tif 000006